(57)【要約】【課題】  遊技機の前面上部から遊技盤を照明することで遊技者が受ける悪影響を抑える。【解決手段】  パチンコ機１０の前面部分を構成するガラス枠２６の前面２６Ａ上部に照明装置４０を設け、照明装置４０に設けた照明光源としてのＬＥＤ６０を内蔵するレンズ部材４６を回転可能に構成する。照明装置４０が備えるベース４２の影で、遊技盤３０の盤面上部が暗くなる場合は、遊技者が照明装置４０のレンズ部材４６を回転操作して、照明装置４０の照明光による照明領域を変更することにより、暗くされていた盤面上部を明るくすることができる。【選択図】        図１
2006181104.tif 000002
【特許請求の範囲】
【請求項１】
遊技機の前面上部に設けられ、下方へ向けて照明光を照射し遊技盤を照明する照明光源と、
遊技者の操作により前記照明光源を移動させ、前記照明光の照射方向を変更する照明光源移動手段と、
を有することを特徴とする遊技機の照明装置。
【請求項２】
前記遊技機の前面に沿って配置された複数の前記照明光源と、その複数の照明光源を個別に移動させる複数の前記照明光源移動手段と、を有することを特徴とする請求項１記載の遊技機の照明装置。
【請求項３】
前記照明光源移動手段は、前記照明光源が取り付けられる取付部材と、前記取付部材を前記遊技機の前面と略平行な回転軸線周りに回転可能に支持する支持手段と、前記取付部材に連結され取付部材を手動で回転操作するための操作部材と、を有することを特徴とする請求項１又は請求項２記載の遊技機の照明装置。
【請求項４】
前記照明光源移動手段は、前記照明光源が取り付けられる取付部材と、前記取付部材を前記遊技機の前面と略平行な回転軸線周りに回転可能に支持する支持手段と、前記取付部材を回転させる回転駆動手段と、前記回転駆動手段を駆動操作するための操作手段と、を有することを特徴とする請求項１又は請求項２記載の遊技機の照明装置。
【請求項５】
前記照明光源が前記取付部材の回転方向に沿って複数設けられていることを特徴とする請求項３又は請求項４記載の遊技機の照明装置。
【発明の詳細な説明】
【技術分野】
【０００１】
本発明は、遊技機の照明装置に係り、詳細には、遊技機の前面上部から下方へ向けて照明光を照射し遊技盤を照明する遊技機の照明装置に関する。
【背景技術】
【０００２】
パチンコ機やパチスロ機等の遊技機では、遊技の進行に応じて音声（効果音）を出力し照明による演出を行うことで遊技性を高め、また、遊技状態が変化したときなどにそのことを音声出力及び照明演出を用いて遊技者へ報知するようにしている。
【０００３】
例えば、パチンコ機の場合では、遊技盤や、遊技盤を覆ってパチンコ機の前面を装飾するガラス枠等に、ランプやＬＥＤ等の発光手段を多数設け、通常遊技状態から当たり遊技等の特別遊技状態へ移行したとき、あるいはリーチ発生時などに、発光手段を点滅（発光／非発光）させたり明るさ（輝度）を変えるなどの照明演出を行うことで、視覚を通した遊技者への報知とその遊技に対する興趣を高めるようにしている。
【０００４】
一方、近年のパチンコ機では、他機種との差別化を図る上で前面デザイン（外観意匠）の重要度が増している。そのため、従来は平面的な装飾を施していたガラス枠において、遊技盤を覆うガラス板に対して枠部を前方へ突出させたり、枠部に起伏（凹凸）を設けるなどし、このガラス枠によって形成されるパチンコ機前面の装飾部位に大きな突出部を設けて前面デザインに特徴を持たせる傾向が大きくなっている。
【０００５】
ただし、このような突出部を前面の上部に設けたパチンコ機では、遊技場のホールにおいて、天井に設置された照明器具から照射された照明光を突出部が遮ってしまい、この突出部の影で遊技盤面の上部が暗くなり、遊技盤面に施したデザインや色彩などによる視覚効果を充分に発揮できなくなる。また、突出部がガラス板に映り込んで盤面上部の視認性を悪化させ、遊技に影響が及ぶこともある。
【０００６】
そこで、このパチンコ機の前面上部に形成した突出部の下面に、遊技盤を照明する照明光源を設けて上記問題の改善を図っている機種がある。
【０００７】
また、遊技盤面の上部における遊技領域外に発光部ユニットを設け、この発光部ユニットから遊技領域内に配置した反射鏡を備える遊技部品（反射風車）に向けて演出用の照明光を照射するものもある（例えば、特許文献１参照）。
【特許文献１】特開２００３−３１０８７９号公報
【発明の開示】
【発明が解決しようとする課題】
【０００８】
上述した前面上部の突出部下面に照明光源を設けたパチンコ機の場合、照明光源が突出部の下面に固定されているため、照明光の照射方向を変えて照明領域を変更することはできない。パチンコ機による遊技では、遊技者がパチンコ機の前方に着座して遊技盤を目視するが、その視線の高さは体格差や体勢によって遊技者毎に異なる。そのため、上方から遊技盤を照明するこの照明光源に対しては、遊技者の体勢によっては視線が変化するため、ガラス板で反射した反射光（眩光）が視界に入ることがある。その場合、上記反射光によって遊技盤面が視認しにくくなり、さらに、遊技者が反射光を視界に受け入れる姿勢を継続させた場合には、継続して眩光を受けるために眼精疲労も懸念される。
【０００９】
一方、特許文献１の場合は、発光部ユニットからの光で遊技盤面の上部が照明されるものの、発光部ユニットは遊技盤面に近接配置されているため、照射光が遊技盤面に映り込みやすくなる。また、光源にＬＥＤを用いていることで、遊技者の姿勢によっては視界内で光源に近い部位ほど点状で眩しい反射光が現れやすくなり、この反射光によって、やはり遊技者の視覚が刺激され目の疲れを招きやすくなる問題がある。
【００１０】
本発明は上記事実を考慮して、遊技機の前面上部から遊技盤を照明することで遊技者が受ける悪影響を抑え、且つ、遊技機のデザイン性や遊技性が損われることを防止することができる遊技機の照明装置を提供することを課題とする。
【課題を解決するための手段】
【００１１】
上記目的を達成するために請求項１に記載の発明は、遊技機の前面上部に設けられ、下方へ向けて照明光を照射し遊技盤を照明する照明光源と、遊技者の操作により前記照明光源を移動させ、前記照明光の照射方向を変更する照明光源移動手段と、を有することを特徴としている。
【００１２】
請求項１に記載の発明では、遊技機の前面上部に設けられた照明装置において、遊技者の操作により、照明光源移動手段によって照明光源が移動されると、その遊技機の前面上部に配置された照明光源から下方へ照射された照明光は照射方向が変更される。これにより、遊技者は、この照明光によって照明する領域を任意に調整し、遊技盤面や、遊技盤を覆うガラス板で生じる反射光が視界に入らないようにしてその影響を回避することができる。
【００１３】
また、例えば前面上部に突出部を設けたデザインの遊技機であっても、その突出部の下面等に上記の照明装置を配置して突出部の下方を照明することにより、突出部の影によって暗くなりやすい遊技盤の上部を明るくすることができる。これにより、遊技盤面に施されたデザインや色彩などが鮮明になり、その視覚効果が充分に発揮されるようになる。また、突出部がガラス板に映り込んで盤面上部の視認性を悪化させ、遊技に影響を与えるようなことも防止できる。
【００１４】
請求項２に記載の発明は、請求項１記載の遊技機の照明装置において、前記遊技機の前面に沿って配置された複数の前記照明光源と、その複数の照明光源を個別に移動させる複数の前記照明光源移動手段と、を有することを特徴としている。
【００１５】
請求項２に記載の発明では、遊技機の前面に沿って配置した複数の照明光源により、例えば単独の照明光源よりも遊技盤の広い範囲を照明することができるため、照明効果が高められる。また、この複数の照明光源は、各々に対応して設けられた複数の照明光源移動手段によって個別に移動できるため、遊技者が各照明光源によるそれぞれの照明領域を個別に調整して、例えば遊技盤の特定部をより明るくする又は暗くするなど、照明領域毎の照明効果に明暗差をつけ、多彩な照明状態を作り出すこができる。
【００１６】
請求項３に記載の発明は、請求項１又は請求項２記載の遊技機の照明装置において、前記照明光源移動手段は、前記照明光源が取り付けられる取付部材と、前記取付部材を前記遊技機の前面と略平行な回転軸線周りに回転可能に支持する支持手段と、前記取付部材に連結され取付部材を手動で回転操作するための操作部材と、を有することを特徴としている。
【００１７】
請求項３に記載の発明では、遊技者が手動で操作部材を回転操作すると、この操作部材に連結されるとともに支持手段によって回転可能に支持された取付部材が遊技機の前面と略平行な回転軸線周りに回転する。そして、取付部材に取り付けられた照明光源が回転移動し、照明光の照射方向が変更される。
【００１８】
このような、手動式で且つ機構的な照明光源移動手段であれば、構成が簡素化され安価に作製することができる。また、回転式であれば、光照射方向（照明領域）の微調整等も容易であり、さらに、例えば照明光源を上下方向に直線的にスライドさせるようなスライド式の構成に比べて、照明光源移動手段及び照明装置全体を小型化することができる。
【００１９】
請求項４に記載の発明は、請求項１又は請求項２記載の遊技機の照明装置において、前記照明光源移動手段は、前記照明光源が取り付けられる取付部材と、前記取付部材を前記遊技機の前面と略平行な回転軸線周りに回転可能に支持する支持手段と、前記取付部材を回転させる回転駆動手段と、前記回転駆動手段を駆動操作するための操作手段と、を有することを特徴としている。
【００２０】
請求項４に記載の発明では、遊技者が操作手段を操作すると、回転駆動手段が駆動し、支持手段によって回転可能に支持された取付部材を遊技機の前面と略平行な回転軸線周りに回転させる。これにより、取付部材に取り付けられた照明光源が回転移動し、照明光の照射方向が変更される。
【００２１】
このように、照明光源を自動で回転移動させる構成であれば、照明光源の光照射方向の変更操作が容易となる。また、この照明装置は回転駆動手段を有することで、回転駆動手段を遊技の進行に応じて駆動制御することにより、照明装置の照明光を用いた演出を行うこともできる。
【００２２】
請求項５に記載の発明は、請求項３又は請求項４記載の遊技機の照明装置において、前記照明光源が前記取付部材の回転方向に沿って複数設けられていることを特徴としている。
【００２３】
請求項５に記載の発明では、照明光源を取付部材の回転方向に沿って複数設けることにより、例えば、遊技盤へ向けられた照明光源は遊技盤照明用として使用し、遊技機前方へ向けられた照明光源は照明演出用に使用するなどの使い分けが可能となり、１つの照明装置によって遊技盤を照明しつつ照明演出を行うことが可能となる。また、請求項３の発明にあるような手動式の構成であっても、照明演出機能を割り当てた照明光源を、例えば遊技の進行に応じて点滅させたり輝度を変化させることで照明による演出効果を作り出すことができる。
【発明の効果】
【００２４】
本発明の遊技機の照明装置は上記構成としたので、遊技機の前面上部から遊技盤を照明することで遊技者が受ける悪影響を抑えることができ、且つ、遊技機のデザイン性や遊技性が損われることを防止することができる。
【発明を実施するための最良の形態】
【００２５】
以下、本発明の実施形態に係るパチンコ機及び照明装置について図面を参照して説明する。
【００２６】
（第１の実施形態）
図１には本発明の第１の実施形態に係るパチンコ機の前面上部側が示され、図２にはそのパチンコ機の前面上端部に設けられた本実施形態に係る照明装置が示されている。
【００２７】
図１に示されるように、パチンコ機１０は、パチンコ機１０の外郭を構成するとともにパチンコホールの島設備に設置される矩形状の外枠１２を備えている。外枠１２の前面には矩形額縁状の内枠１４が配置されており、内枠１４は、外枠１２に左側端部が軸支されて開閉可能に取り付けられている。
【００２８】
内枠１４の前面上部には、略楕円形の窓部２４にガラス板２２を装着したガラス枠２６が配置されており、ガラス枠２６は左側端部が内枠１４に軸支されて開閉可能に取り付けられている。このガラス枠２６の裏面に対向する内枠１４の前面には、図２に示されるように遊技盤３０がセットされており、遊技盤３０は、ガラス枠２６を内枠１４に閉塞した状態でガラス枠２６（ガラス板２２）に覆われるようになっている。
【００２９】
ガラス枠２６の前面２６Ａにおける左上角部付近及び右上角部付近には、遊技の進行に応じて点灯、消灯、及び点滅し照明による演出効果を生み出す照明演出用の表示灯２８が複数設けられている。また、ガラス枠２６の前面２６Ａにおける上部中央には、本実施形態の照明装置４０が設けられている。
【００３０】
照明装置４０は、ガラス枠２６の前面２６Ａに取り付けられたベース４２を備えている。このベース４２は、パチンコ機１０の幅方向に沿って延出されるとともにガラス枠２６に形成された窓部２４の上縁に略沿って屈曲しており、さらに、ガラス枠２６の前面２６Ａから前方へ突出されてその前面には装飾が施されている。本実施形態のパチンコ機１０は、このベース４２によって前面の上部に突出部が設けられたデザインとされている。
【００３１】
ベース４２の中央部には、幅方向を長手とした矩形状の開口部４４が形成されている。この開口部４４内には、光透過性を有する合成樹脂で円筒状に形成されたレンズ部材４６が嵌め込まれており、レンズ部材４６は、図示のように、軸心Ｌ１がガラス枠２６の前面２６Ａと略平行な向きで、且つ、略水平方向な向きとされて窓部２４（ガラス板２２）の真上に配置されている。
【００３２】
図２に示されるように、レンズ部材４６内の中央部（軸心部）には、レンズ部材４６とほぼ同じ幅寸法とされ、軸心Ｌ１と平行な向きに配置された略多角形柱状の回転部材４８が取り付けられている。回転部材４８は、後方へ延出された連結部５０がレンズ部材４６の内周面に固着されることで、レンズ部材４６と一体化（連結）されている。
【００３３】
回転部材４８の右側面における中央部は、ロックギア５２が固着されている。このロックギア５２と回転部材４８には、レンズ部材４６の軸心Ｌ１と同軸的に貫通孔が形成されており、貫通孔には支軸５４が回転可能に挿通されている。また、支軸５４は、回転部材４８の左側面及びロックギア５２の右側面から突出された左右両端部がベース４２に固定されている。
【００３４】
これにより、回転部材４８及びレンズ部材４６は、支軸５４に回転可能に支持され軸心Ｌ１を回転中心（回転軸線）として回転する。また、レンズ部材４６は、この支軸５４に回転部材４８を介して支持されることにより、上述したように、ベース４２の開口部４４内に配置されている。
【００３５】
ベース４２の内部には、ロックギア５２と対応する上方位置に、ロックピン５６が設けられている（図１参照）。このロックピン５６は、先端（下端）部が略円錐形とされ、基端（上端）部が、ベース４２内に形成された図示しない孔部に挿入されて上下方向に移動可能とされている。また、ロックピン５６の中間部には圧縮コイルばね５８が嵌挿されており、この圧縮コイルばね５８のばね力でロックピン５６は下方へ付勢され、先端部をロックギア５２の複数の歯の間に形成された複数の溝部の何れか１つに係合させている。
【００３６】
これにより、ロックギア５２がロックピン５６によってロックされ、レンズ部材４６は回転が規制されるとともにその停止位置に保持される。また、ロックピン５６と上記溝部との間に作用する係合力よりも大きな回転力をレンズ部材４６に加えると、ロックピン５６による上記溝部へのロックが解除され、レンズ部材４６を回転させることができる。また、このようにレンズ部材４６を回転させて、回転方向の位置を変更し停止させると、ロックピン５６の先端部が再び複数の溝部の何れか１つに係合してロック状態となり、レンズ部材４６はその変更された位置に保持される。
【００３７】
レンズ部材４６内に設けられた略多角形柱状の回転部材４８には、その外周面における前側及び下側に位置する４つの面に、照明光源となるＬＥＤ（発光素子）６０を実装した照明基板６２がそれぞれ取り付けられている。このように、回転部材４８の外周面における複数の面に照明基板６２をそれぞれ配置することで、複数のＬＥＤ６０が回転部材４８の回転方向に沿って設けられた構成となっている。
【００３８】
このＬＥＤ６０を備えた照明基板６２は、図１に示されるように、回転部材４８の１つの面に５個設けられており、それらは、回転部材４８の幅方向（レンズ部材４６の軸心Ｌ１）に沿って所定の間隔で配置されている。また、各照明基板６２のＬＥＤ６０は、図示しない制御部に接続されており、その制御部によって発光制御される。
【００３９】
図２に示されるように、回転部材４８の各面に配置されたＬＥＤ６０がそれぞれ発光すると、各ＬＥＤ６０から出射された照明光ＬＴは、レンズ部材４６を透過して放射状に照射される。また、回転部材４８の回転方向で隣接する２つのＬＥＤ６０から出射される各照明光ＬＴの照射方向の角度差は、約４５度となるように設定されている。
【００４０】
本実施形態の照明装置４０は以上の構成とされており、この照明装置４０が前面上部に設けられた本実施形態のパチンコ機１０では、図２に示されるように、ホールの天井６４に設置された照明器具６６との位置関係によっては、その照明器具６６からの照明光を突出部であるベース４２が遮ってしまい、このベース４２の影Ｋで、遊技盤３０の盤面３０Ａの上部が暗くなる場合がある。
【００４１】
その場合、遊技者は、照明装置４０のレンズ部材４６を回転操作して、照明装置４０の照明光による照明領域（光照射方向）を変更する。例えば、図２に示されるように、遊技盤３０を照明するために下向きに照射されている照明光ＬＴが、レンズ部材４６を透過してほぼ真下へ照射されている場合、盤面３０Ａの上部に対しては、この照明光ＬＴによる照明効果よりも上記の影Ｋによる影響の方が大きくなって、盤面３０Ａの上部がさほど明るくならないことがある。
【００４２】
そこで、遊技者が盤面３０Ａの上部を暗く感じる場合には、レンズ部材４６を手で回転操作し、下向き方向へ回転させる（図２の矢印Ａ方向）。すると、上記の照明光ＬＴの照射方向が後ろ向きに変えられ、図３に示されるように、照明光ＬＴが盤面３０Ａの上部側へ照射されるようになり、暗くされていた盤面３０Ａの上部を明るくすることができる。このように、遊技者は、遊技盤３０を照明する照明光ＬＴの照明領域を任意に調整して盤面３０Ａの明るさを調整することができる。これにより、盤面３０Ａに施されたデザインや色彩などが鮮明になり、その視覚効果を充分に発揮することができる。また、ベース４２がガラス板２２に映り込んで盤面３０Ａ上部の視認性を悪化させ、遊技に影響を与えるようなことも防止できる。
【００４３】
また、例えばガラス枠２６の前面２６Ａ上部にベース４２よりも更に大きな突出部を設けたデザインのパチンコ機であっても、その突出部の下面等に、本実施形態のような光源（ＬＥＤ６０）を内蔵した可動式のレンズ部材４６を配置することで、同様の効果が得られる。
【００４４】
また、遊技時に姿勢を変えるなどして視線を変化させる遊技者は、この遊技盤３０を照明するための照明光ＬＴが、盤面３０Ａや、遊技盤３０を覆うガラス板２２に反射して視界に入る場合にも、上述したレンズ部材４６の回転操作によって、その反射光を視界の外に移動させることができる。これにより、上記反射光によって遊技盤面が視認しにくくなることはなく、また、例えば遊技中にその反射光を長時間目視した場合等に懸念される眼精疲労を軽減することができる。
【００４５】
また、本実施形態の照明装置４０では、上述したように、遊技者が手動でレンズ部材４６を回転操作すると、このレンズ部材４６に連結されるとともに支軸５４によって回転可能に支持された回転部材４８が、ガラス枠２６の前面２６Ａと略平行な回転軸線（軸心Ｌ１）周りに回転する。そして、回転部材４８に取り付けられた照明基板６２のＬＥＤ６０が回転移動し、照明光ＬＴの照射方向が変更される。
【００４６】
このように、レンズ部材４６に内蔵した照明光源としてのＬＥＤ６０を移動させるための照明光源移動手段を、手動式で且つ機構的な構成としていることにより、その照明光源移動手段の構成が簡素化され安価に作製することができる。また、本実施形態のような回転式であれば、光照射方向（照明領域）の微調整等も容易であり、さらに、例えば照明光源を上下方向に直線的にスライドさせるようなスライド式の構成に比べて、照明光源移動手段及び照明装置全体を小型化することができる。
【００４７】
（第２の実施形態）
次に本発明の第２実施形態について説明する。なお、第１実施形態と同一の部分には同一の符号を付して説明を省略し、第１実施形態と異なる部分についてのみ説明する。
【００４８】
図４に示されるように、第２実施形態に係る照明装置７０では、ガラス枠２６の前面２６Ａ上部に取り付けられたベース７２に、同一構成のレンズ部材７６が２個設けられている。
【００４９】
ベース７２には、ガラス枠２６の窓部２４に沿って略円弧状に屈曲された下縁の左端部近傍及び右端部近傍に、一対の開口部７４が形成されており、上記２個のレンズ部材７６は、この一対の開口部７４に１個ずつ嵌め込まれている。
【００５０】
このレンズ部材７６は、第１実施形態のレンズ部材４６を小型化したものであり、その内部の構成は第１実施形態の構成とほぼ同じにされている。
【００５１】
また、左側に配置されたレンズ部材７６は、軸心Ｌ２がガラス枠２６の前面２６Ａと略平行な向きで、且つ、ベース７２の下縁に略沿って右上から左下方向へ傾斜した向きとされている。一方、右側に配置されたレンズ部材７６は、軸心Ｌ３がガラス枠２６の前面２６Ａと略平行な向きで、且つ、ベース７２の下縁に略沿って左上から右下方向へ傾斜した向きとされている。
【００５２】
本実施形態の照明装置７０は以上の構成とされており、この照明装置７０では、遊技者が遊技盤３０の照明状態を変更する際に、２個のレンズ部材７６を個別に回転操作することで、それぞれの照明光によって照明される各領域（遊技盤３０の左上部及び右上部）の照明状態を個別に調整することができる。例えば、遊技球が遊技盤３０へ打ち込まれる盤面３０Ａの左上部は、視認性を高めるために、左側のレンズ部材７６を回転調整して明るく照明し、また、盤面３０Ａの右上部は、照明による眩しさで目が疲れないようにするために、右側のレンズ部材７６を回転調整して多少暗くするなど、照明領域毎の照明効果に明暗差をつけることができる。このように、本実施形態の照明装置７０を用いた遊技盤３０の照明では、盤面３０Ａの左上部及び右上部の照明効果に明暗差をつけた多彩な照明状態を作り出すこができる。
【００５３】
（第３の実施形態）
次に本発明の第３実施形態について説明する。なお、この第３実施形態も第１実施形態と同一の部分には同一の符号を付して説明を省略し、第１実施形態と異なる部分についてのみ説明する。
【００５４】
図５に示されるように、第３実施形態に係る照明装置８０では、ガラス枠２６の前面２６Ａにおける上部中央に配置されたベース８２に、同一構成のレンズ部材８６が５個設けられている。
【００５５】
ベース８２の下部中央には、幅方向を長手とした矩形状の開口部８４が形成されており、上記５個のレンズ部材８６は、この開口部８４に同軸的に、且つ、隣接配置されて嵌め込まれている。また、各レンズ部材８６は、第１実施形態と同じく、軸心Ｌ４がガラス枠２６の前面２６Ａと略平行な向きで、且つ、略水平方向な向きとされて窓部２４（ガラス板２２）の真上に配置されている。
【００５６】
図６に示されるように、レンズ部材８６内の中央部（軸心部）には、レンズ部材８６とほぼ同じ幅寸法とされ、軸心Ｌ４（図５参照）と平行な向きに配置された略多角形柱状の回転部材８８が取り付けられている。第１実施形態と同じく、この回転部材８８も略後方へ延出された連結部９０がレンズ部材８６の内周面に固着されて回転部材８８と一体化（連結）されており、さらに、軸心Ｌ４と同軸的に形成された貫通孔に支軸５４が挿通されて、支軸５４に回転可能に支持されている。
【００５７】
また、この回転部材８８の外周面における前側、下側、及び後側に位置する３つの面には、照明基板６２がそれぞれ取り付けられている。ここでも、第１実施形態と同様に、回転部材８８の外周面における複数の面に照明基板６２をそれぞれ配置することで、複数のＬＥＤ６０が回転部材８８の回転方向に沿って設けられた構成となっている。
【００５８】
回転部材８８の外周面には、略上端部に突起状のストッパー９２が設けられ、ストッパー９２の後側に、複数のロックツメ９４が同ピッチで形成されている。
【００５９】
また、ベース４２の内部には、天井面の前端部に下方へ突出された受け部９６が設けられ、ロックツメ９４と対応する上方位置（ベース４２内の後側の上隅部）に、第１実施形態で説明したロックピン５６が設けられている。このロックピン５６の基端部は、ベース８２に形成された孔部９８に摺動可能に挿入されている。
【００６０】
これにより、ロックピン５６は、基端部が孔部９８にガイドされて略上下方向に移動可能とされるとともに、中間部に嵌挿された圧縮コイルばね５８のばね力で略下方へ付勢され、略円錐形とされた先端部を、複数のロックツメ９４間に形成された複数の溝部の何れか１つに係合させている。そして、レンズ部材８６は、第１実施形態と同様に、ロックピン５６によりロックされて回転が規制され、その停止位置に保持されている。
【００６１】
また、ロックピン５６と上記溝部の間に作用する係合力よりも大きな回転力をレンズ部材８６に加えると、ロックピン５６による上記溝部へのロックが解除され、レンズ部材８６を回転させることができる。さらに、このレンズ部材８６を下向き方向（図５の矢印Ｂ方向）へ回転させた場合には、所定位置まで回転させると、ベース８２に設けられた受け部９６にストッパー９２が当接して回転が規制され、それ以上回転できなくなる。
【００６２】
本実施形態の照明装置８０は以上の構成とされており、この照明装置８０では、ガラス枠２６の前面２６Ａに沿って配置した５個のレンズ部材８６からそれぞれ照射される照明光により、遊技盤３０の広い範囲を照明することができるため、照明効果が高められる。また、遊技者が遊技盤３０の照明状態を変更する際には、遊技盤３０の真上に配置された５個のレンズ部材８６を個別に回転操作することで、それぞれの照明範囲を個別に調整することができる。これにより、この照明装置８０を用いた遊技盤３０の照明においても、第２実施形態の照明装置７０と同様に、遊技者が自分の望む照明状態を作り出すこができる。
【００６３】
（第４の実施形態）
次に本発明の第４実施形態について説明する。この第４実施形態の照明装置は、第１実施形態の照明装置４０における変形例で、レンズ部材４６の回転を自動で行うようにしたものであり、第１実施形態と同一の部分には同一の符号を付して説明を省略し、第１実施形態と異なる部分についてのみ説明する。
【００６４】
図７及び図８に示されるように、第４実施形態に係る照明装置１００では、ベース４２内におけるロックギア５２に上方に、ロックピン５６及び圧縮コイルばね５８に替えて、ステッピングモータ１０２及び中間ギア１０６が設けられている。
【００６５】
中間ギア１０６は、ベース４２内の図示しない取付部に回転可能に取り付けられてロックギア５２に噛み合っており、この中間ギア１０６には、ステッピングモータ１０２のモータ軸の先端部に取り付けられた駆動ギア１０４が噛み合っている。
【００６６】
また、本実施形態の照明装置１００は、図８に示されるように、ステッピングモータ１０２を駆動制御する制御部１１０を備えており、この制御部１１０は、レンズ部材４６内に設けられた各ＬＥＤ６０の発光制御も行うよう構成されている。
【００６７】
図７に示されるように、ガラス枠２６の前面２６Ａ上部に取り付けられたベース４２の右側端部には、操作スイッチユニット１１２が設けられている。この操作スイッチユニット１１２は、上部側に、レンズ部材４６を上向き回転方向へ回転させるための操作スイッチ１１４が設けられており、下部側に、レンズ部材４６を下向き回転方向へ回転させるための操作スイッチ１１６が設けられている。また、操作スイッチユニット１１２は制御部１１０に接続されており、操作スイッチ１１４、１１６が押圧操作された際に、各操作信号を制御部１１０に出力する。
【００６８】
本実施形態の照明装置１００は以上の構成とされており、この照明装置１００では、遊技者が遊技盤３０の照明状態を変更する際には、操作スイッチユニット１１２の操作スイッチ１１４又は操作スイッチ１１６を押圧操作する。
【００６９】
例えば、操作スイッチ１１４が押圧されると、その操作スイッチ１１４が押圧されたことを示す操作信号が操作スイッチユニット１１２から制御部１１０に出力され、制御部１１０は、この操作信号の入力に基づいてステッピングモータ１０２を所定の回転方向へ駆動制御する。ここで、ステッピングモータ１０２が作動し駆動ギア１０４を回転駆動させると、中間ギア１０６が回転してロックギア５２が所定方向へ回転され、レンズ部材４６は軸心Ｌ１周りに上向き回転方向へ回転される。
【００７０】
また、操作スイッチ１１６が押圧された場合は、その操作スイッチ１１６が押圧されたことを示す操作信号が操作スイッチユニット１１２から制御部１１０に出力され、制御部１１０は、ステッピングモータ１０２を上記所定の回転方向とは逆方向へ駆動制御する。そして、レンズ部材４６は軸心Ｌ１周りに下向き回転方向へ回転される。
【００７１】
これにより、レンズ部材４６に内蔵された各ＬＥＤ６０が回転移動し、各照明光ＬＴの照射方向が変更される。
【００７２】
なお、このレンズ部材４６の回転動作は、操作スイッチ１１４、１１６が押圧操作されている間継続され、操作解除されると停止する。
【００７３】
このように、本実施形態の照明装置１００では、操作スイッチ１１４、１１６を押圧操作するだけで、照明装置１００による遊技盤３０の照明状態を変更できるため、その変更操作が容易となる。また、この照明装置１００にはステッピングモータ１０２を設けていることで、このステッピングモータ１０２を遊技の進行に応じて駆動制御することにより、例えば、当たり発生時等に、レンズ部材４６を所定時間だけ回転移動させて光の回転移動を用いた照明演出を作り出す、あるいは、レンズ部材４６の回転位置を一時的に変更して、遊技盤３０の特定部や遊技機前方の遊技者を照明するスポットライトのような照明演出を作り出すなど、照明装置１００に照明光を用いた演出機能を付加することもできる。また、このような演出動作後は、照明光の照射方向を元に戻して再び遊技盤３０を所望の照明状態で照明することにより、上述した効果を維持することができる。
【００７４】
以上、本発明を上述した第１〜第４の実施形態により詳細に説明したが、本発明はそれらに限定されるものではなく、本発明の範囲内にて他の種々の形態が実施可能である。
【００７５】
例えば、第４実施形態で説明したレンズ部材（照明光源）を自動で回転移動させる構成、及び、照明装置に照明光を用いた演出機能を付加する構成は、第２及び第３実施形態で説明した照明装置に適用することも可能である。
【００７６】
また、第１〜第３実施形態のような手動式の構成であっても、レンズ部材４６、７６、８６に内蔵したＬＥＤ６０を回転部材４８、８８の回転方向に沿って複数設けていることにより、例えば、遊技盤３０へ向けられたＬＥＤ６０は遊技盤照明用として使用し、パチンコ機１０前方へ向けられたＬＥＤ６０は、遊技の進行に応じて点滅させたり輝度を変化させることで照明による演出効果を作り出す照明演出用に使用するなどの使い分けが可能となり、１つの照明装置によって遊技盤３０を照明しつつ照明演出を行うことが可能となる。
【００７７】
また、第１〜第３実施形態では、レンズ部材４６、７６、８６に、ＬＥＤ６０を覆うカバー機能と、ＬＥＤ６０を回転移動させるための操作部材としての機能とを持たせているが、この操作部材は、例えばレンズ部材の側面部にリング状やレバー状の別部材を設けるなどして、レンズ部材とは別の操作専用の部材によって構成するようにしてもよい。
【００７８】
また、照明光源（ＬＥＤ６０）移動させるための照明光源移動手段の構成については、上述したような回転式の構成に限らず、照明光源を上下方向に直線的にスライドさせるようなスライド式の構成としてもよい。
【図面の簡単な説明】
【００７９】
【図１】本発明の第１の実施形態に係るパチンコ機の前面上部側を示す斜視図である。
【図２】本発明の第１の実施形態に係る照明装置の構成と照明状態を説明するために、その照明装置が設けられたパチンコ機の上部を示す側断面図である。
【図３】図２の照明装置により遊技盤の上部を照明した状態の側断面図である。
【図４】本発明の第２の実施形態に係るパチンコ機の前面上部側を示す斜視図である。
【図５】本発明の第３の実施形態に係るパチンコ機の前面上部側を示す斜視図である。
【図６】本発明の第３の実施形態に係る照明装置が設けられたパチンコ機の上部を示す側断面図である。
【図７】本発明の第４の実施形態に係るパチンコ機の前面上部側を示す斜視図である。
【図８】本発明の第４の実施形態に係る照明装置が設けられたパチンコ機の上部を示す側断面図である。
【符号の説明】
【００８０】
１０   パチンコ機（遊技機）
２６   ガラス枠
２６Ａ 前面（遊技機の前面）
３０   遊技盤
４０   照明装置
４２   ベース（照明光源移動手段／支持手段）
４６   レンズ部材（照明光源移動手段／操作部材）
４８   回転部材（照明光源移動手段／取付部材）
５４   支軸（照明光源移動手段／支持手段）
６０   ＬＥＤ（照明光源）
７０   照明装置
７２   ベース（照明光源移動手段／支持手段）
７６   レンズ部材（照明光源移動手段／操作部材）
８０   照明装置
８２   ベース（照明光源移動手段／支持手段）
８６   レンズ部材（照明光源移動手段／操作部材）
８８   回転部材（照明光源移動手段／取付部材）
１００ 照明装置
１０２ ステッピングモータ（回転駆動手段）
１１２ 操作スイッチユニット（操作手段）
１１４ 操作スイッチ
１１６ 操作スイッチ
Ｌ１〜Ｌ４    軸心（回転軸線）
【図１】
2006181104.tif 000003
【図２】
2006181104.tif 000004
【図３】
2006181104.tif 000005
【図４】
2006181104.tif 000006
【図５】
2006181104.tif 000007
【図６】
2006181104.tif 000008
【図７】
2006181104.tif 000009
【図８】
2006181104.tif 000010